(57)【要約】【課題】複数の入力端子を有する表示装置において、ある入力端子に画像信号が入力されてから、当該画像信号に基づいた画像を適切な表示設定で表示するまでに要する時間を短縮する。【解決手段】表示手段の表示を制御する表示制御装置は、複数の入力端子を有する入力手段と、前記複数の入力端子のうち第１入力端子に第１画像信号が入力されている状態において、前記複数の入力端子のうち画像信号が入力されていない第２入力端子に第２画像信号が入力されると、前記第１画像信号の画像フォーマットに基づいた表示設定によって、前記第２画像信号に基づいた画像を前記表示手段に表示する表示制御手段と、を有する。【選択図】図９
2020106614.tif 000002
【特許請求の範囲】
【請求項１】
表示手段の表示を制御する表示制御装置であって、
複数の入力端子を有する入力手段と、
前記複数の入力端子のうち第１入力端子に第１画像信号が入力されている状態において、前記複数の入力端子のうち画像信号が入力されていない第２入力端子に第２画像信号が入力されると、前記第１画像信号の画像フォーマットに基づいた表示設定によって、前記第２画像信号に基づいた画像を前記表示手段に表示する表示制御手段と、
を有することを特徴とする表示制御装置。
【請求項２】
前記表示制御手段は、
前記第１入力端子に前記第１画像信号が入力されており、かつ、前記第１画像信号に基づいた画像を前記表示手段に表示している状態において、画像信号が入力されていない前記第２入力端子に前記第２画像信号が入力されると、前記第１画像信号の画像フォーマットに基づいた表示設定によって、前記第２画像信号に基づいた画像を前記表示手段に表示する、
ことを特徴とする請求項１に記載の表示制御装置。
【請求項３】
前記表示制御手段は、
前記第２入力端子に第２画像信号が入力されると、前記第１画像信号に基づいた画像とともに、前記第２画像信号に基づいた画像を前記表示手段に表示する、
ことを特徴とする請求項１または請求項２に記載の表示制御装置。
【請求項４】
前記第１画像信号から、当該第１画像信号の画像フォーマットである検出フォーマットを検出する検出手段と、
前記第２画像信号が入力される前に、
前記第２画像信号の画像フォーマットである推定フォーマットを、前記検出フォーマットに基づいて推定する推定手段と、
前記第２画像信号に基づいた画像を表示する場合の表示設定を、前記推定フォーマットに基づいた表示設定にする表示設定手段と、
をさらに有する、
ことを特徴とする請求項１から３のいずれか１項に記載の表示制御装置。
【請求項５】
前記推定手段は、前記推定フォーマットが前記検出フォーマットと同じであると推定する、
ことを特徴とする請求項４に記載の表示制御装置。
【請求項６】
前記第２入力端子に第２画像信号が入力されると、
前記検出手段は、さらに、当該第２画像信号の画像フォーマットである第２検出フォーマットを検出し、
前記表示設定手段は、前記推定フォーマットと前記第２検出フォーマットが異なる場合に、前記第２画像信号に基づいた画像を表示する場合の表示設定を、前記第２検出フォーマットに基づいた表示設定に変更する、
ことを特徴とする請求項４または請求項５に記載の表示制御装置。
【請求項７】
前記画像フォーマットは、解像度を少なくとも含む、
ことを特徴とする請求項１から６のいずれか１項に記載の表示制御装置。
【請求項８】
前記表示設定は、表示画面における表示位置およびスケーリングの設定を含む、
ことを特徴とする請求項１から７のいずれか１項に記載の表示制御装置。
【請求項９】
請求項１から８のいずれか１項に記載の表示制御装置と、
画像を表示する表示手段と、
を有することを特徴とする表示装置。
【請求項１０】
複数の入力端子を有する入力手段と表示手段とを有する表示装置の制御方法であって、
前記複数の入力端子のうち第１入力端子に第１画像信号が入力されている状態において、前記複数の入力端子のうち画像信号が入力されていない第２入力端子に第２画像信号が入力されると、前記第１画像信号の画像フォーマットに基づいた表示設定によって、前記第２画像信号に基づいた画像を前記表示手段に表示させる、
ことを特徴とする表示装置の制御方法。
【請求項１１】
コンピュータを、請求項１から８のいずれか１項に記載の表示制御装置の各手段として機能させるためのプログラム。
【発明の詳細な説明】
【技術分野】
【０００１】
本発明は、表示装置、表示装置の制御方法、プログラムに関する。
【背景技術】
【０００２】
従来、複数個の入力端子を備えた表示装置が実用化されており、複数の入力端子に入力された画像信号に基づいた画像を同時に表示することが行われている。具体的には、図１０（Ａ）が示すように、例えば、表示装置の表示部に画像２００１〜画像２００４が上下左右に表示されることによって、１つの「ＡＢＣ」の文字を表す画像の表示が実現できる。この際、表示装置は、４つの入力端子を有し、各入力端子に対して、画像２００１〜画像２００４の画像信号がそれぞれ入力されている。
【０００３】
また、このとき、表示装置は、入力された画像信号の信号タイミングや解像度（サイズ）などを含む画像フォーマットに基づいて、表示画面での表示座標やスケーリング率といった設定情報を決定する。そして、表示装置は、決定した設定情報に基づいて、画像を表示するための表示設定処理を行う必要がある。この設定情報の決定の処理および表示設定処理には、一般に数１００ミリ秒〜１秒程度の比較的長い時間を要する。
【０００４】
これに対して、特許文献１および特許文献２では、入力されているものの、未だ表示に使用されていない画像信号の画像フォーマットを事前に検出（測定）しておくことが記載されている。このことによって、当該画像フォーマットに基づいた表示設定処理が事前にできるため、その後、当該画像信号に基づいて画像を表示する場合における適切な表示設定での表示に要する時間を短縮できる。
【先行技術文献】
【特許文献】
【０００５】
【特許文献１】特開２０１０−４８９７４号公報
【特許文献２】特開２００４−２１９７２６号公報
【発明の概要】
【発明が解決しようとする課題】
【０００６】
しかしながら、特許文献１および特許文献２では、既に入力されている非表示の画像信号から画像フォーマットを事前に検出している。このため、ある入力端子において画像信号が入力されていない状態から入力されている状態に変化した場合に、当該画像信号に基づいた画像を適切な表示設定で即座に表示することはできない。
【０００７】
そこで、本発明の目的は、複数の入力端子を有する表示装置において、ある入力端子に画像信号が入力されてから、当該画像信号に基づいた画像を適切な表示設定で表示するまでに要する時間を短縮することである。
【課題を解決するための手段】
【０００８】
本発明の第１の態様は、
表示手段の表示を制御する表示制御装置であって、
複数の入力端子を有する入力手段と、
前記複数の入力端子のうち第１入力端子に第１画像信号が入力されている状態において、前記複数の入力端子のうち画像信号が入力されていない第２入力端子に第２画像信号が入力されると、前記第１画像信号の画像フォーマットに基づいた表示設定によって、前記第２画像信号に基づいた画像を前記表示手段に表示する表示制御手段と、
を有することを特徴とする表示制御装置である。
【０００９】
本発明の第２の態様は、
複数の入力端子を有する入力手段と表示手段とを有する表示装置の制御方法であって、
前記複数の入力端子のうち第１入力端子に第１画像信号が入力されている状態において、前記複数の入力端子のうち画像信号が入力されていない第２入力端子に第２画像信号が入力されると、前記第１画像信号の画像フォーマットに基づいた表示設定によって、前記第２画像信号に基づいた画像を前記表示手段に表示させる、
ことを特徴とする表示装置の制御方法である。
【発明の効果】
【００１０】
本発明によれば、複数の入力端子を有する表示装置において、ある入力端子に画像信号が入力されてから、当該画像信号に基づいた画像を適切な表示設定で表示するまでに要する時間を短縮することができる。
【図面の簡単な説明】
【００１１】
【図１】実施形態に係る表示装置の構成図
【図２】実施形態に係る決定部の内部構成図
【図３】実施形態に係るユーザ設定を説明する図
【図４】実施形態に係るレイアウト決定部の処理フロー
【図５】実施形態に係る推定部の処理フロー
【図６】実施形態に係る設定情報決定部の内部構成図
【図７】実施形態に係る設定決定部の処理を説明する図
【図８】実施形態に係る判定部の処理フロー
【図９】実施形態に係る表示装置の全体処理フロー
【図１０】実施形態に係る画像と入力端子を説明する図
【発明を実施するための形態】
【００１２】
以下に、本発明の好ましい実施の形態を、添付の図面に基づいて詳細に説明する。なお、以降、表示装置が表示する画面（表示画面）を上下左右に分割する「４画面表示」をする場合において、画面の左上に表示する画像の画像信号が入力される端子を「左上端子」と呼ぶ。同様に、表示画面の右上、左下、右下に表示する画像の画像信号が入力される端子を同様に「右上端子」、「左下端子」、「右下端子」と呼ぶ。つまり、図１０（Ａ）が示す画像が表示される場合には、例えば、画像２００１の画像信号が入力される入力端子が「左上端子」であり、画像２００４の画像信号が入力される入力端子が「右下端子」である。
【００１３】
＜実施形態＞
本実施形態では、画像信号が入力されていない入力端子に対して新たに画像信号が入力された場合に、他の入力端子に入力されていた画像信号の画像フォーマットに基づいた表示設定で、新たに入力された画像信号に基づいた画像を表示する表示装置を説明する。具体的には、例えば、図１０（Ｂ）が示すような、右上端子には画像２００２の画像信号が入力されており、かつ、右下端子に画像信号が入力されていない状態から、画像２００４の画像信号が右下端子に入力されると仮定する。この場合、表示装置（表示部）は、右上端子に入力されている画像２００２の画像信号の画像フォーマットに基づいた表示設定によって、当該画像２００４を表示画面の右下に表示する。このとき、当該表示設定によって画像２００４を表示するための表示設定処理は、画像２００４の画像信号が入力される前に実行されている。
【００１４】
これによれば、画像２００２と画像２００４との画像信号の画像フォーマットが同一で
あれば、画像２００４の画像信号の取得後の表示設定処理が必要ない。従って、画像２００４の画像信号が入力されてから、表示装置が、適切な表示設定で画像２００４を表示するまでの時間を短縮することができる。
【００１５】
［表示装置の構成］
以下、図１を参照して、本実施形態に係る表示装置１００について説明する。図１は、本実施形態に係る表示装置１００の構成を示す構成図である。表示装置１００は、画像入力部１０１、表示設定部１０２、表示部１０３、検出部１０４、決定部１０５、推定部１０６、設定情報決定部１０７を有する。なお、これらの機能部は、不図示の制御部であるＣＰＵ（Ｃｅｎｔｒａｌ  Ｐｒｏｃｅｓｓｉｎｇ  Ｕｎｉｔ）によって制御されている。
【００１６】
画像入力部１０１は、ＳＤＩ（Ｓｅｒｉａｌ  Ｄｉｇｉｔａｌ  Ｉｎｔｅｒｆａｃｅ）などのインタフェースを利用して、カメラや画像再生装置などの外部機器から画像信号を取得する（入力する）。画像入力部１０１は、本実施形態では、４つの入力端子（インタフェース）を有している。画像入力部１０１は、取得した画像信号に対して当該画像信号を取得した入力端子の情報を付加して、表示設定部１０２および検出部１０４、決定部１０５に送信する。なお、入力端子の数は４つに限らず、それ以上の個数であってもよい。
【００１７】
表示設定部１０２は、入力端子ごとに、設定情報決定部１０７によって通知される設定情報に基づいて、画像を表示するようにする処理である表示設定処理を行う。具体的には、表示設定部１０２は、設定情報決定部１０７から通知される設定情報に対応する入力端子に関して、表示画面における表示位置や画像のスケーリングの設定などの表示設定を変更する。また、表示設定部１０２は、画像入力部１０１から取得した画像信号を表示部１０３に送信する。なお、表示設定部１０２は、設定情報決定部１０７から何も通知がない入力端子に関しては、当該画像信号に対する上述の表示位置やスケーリングの設定といった表示設定処理を行わずに、現在の表示設定（状態）を維持する。なお、設定情報とは、表示画面での表示座標やスケーリング率を示す情報である。
【００１８】
表示部１０３は、表示設定部１０２が処理した表示設定によって、画像信号に基づいた画像を、自身が有する表示デバイス（不図示）に表示する処理を行う。なお、表示デバイスとしては、例えば、液晶パネルとＬＥＤバックライトの組み合わせなどを利用することができる。
【００１９】
なお、表示部１０３の表示デバイスは、表示部１０３の外部に存在していてもよく、その場合には、表示部１０３は、表示デバイスの表示を制御する表示制御部として動作していてもよい。つまり、表示装置１００は、表示デバイスの表示を制御する表示制御装置であってもよい。この場合には、表示デバイスが表示手段であるといえる。
【００２０】
検出部１０４は、画像入力部１０１より取得した画像信号の画像フォーマットを検出する。そして、検出部１０４は、当該画像信号が検出された入力端子の情報を当該画像フォーマットに付加して（対応付けて）、推定部１０６、設定情報決定部１０７に通知する。ここで、画像フォーマットには、例えば、画像信号における解像度（サイズ）、有効期間、ブランキング期間の長さ、ドットクロックの周波数などの情報が含まれる。画像フォーマットは、画像信号が解析されて決定されてもよいし、画像信号のメタデータに含まれる情報が解析されて決定されてもよい。
【００２１】
なお、検出部１０４は、画像信号が入力されていない入力端子からは画像信号が取得できないため、画像フォーマットは検出できない。そのため、検出部１０４は、画像信号が入力されていない入力端子に対する画像フォーマットは生成しない。
【００２２】
決定部１０５は、画像入力部１０１から通知される画像信号に基づいて、表示部１０３における画面表示のレイアウトを決定する。決定部１０５は、決定したレイアウトを、推定部１０６および設定情報決定部１０７に通知する。決定部１０５の詳細については、後述にて詳細に説明する。
【００２３】
推定部１０６は、検出部１０４より通知される画像フォーマットおよび、決定部１０５より通知されるレイアウトに応じて、画像信号が入力されていない入力端子である無信号端子へ次に入力される画像信号の画像フォーマットを推定する。そして、推定部１０６は、当該入力端子の情報を当該画像フォーマットに付加して（対応付けて）、設定情報決定部１０７に通知する。推定部１０６が行う処理については、後述にて詳細に説明する。
【００２４】
設定情報決定部１０７は、４つの入力端子について、それぞれ表示設定を変更する必要がある場合には、決定部１０５および推定部１０６から通知される画像フォーマットとレイアウトとに基づいて設定情報を決定し、表示設定部１０２へ通知する。設定情報決定部１０７については、後述にて詳細に説明する。
【００２５】
［決定部の内部構成］
次に決定部１０５について詳細に説明する。図２は、決定部１０５の内部構成を示す構成図である。決定部１０５は、設定記憶部２０１、レイアウト決定部２０２、レイアウト通知部２０３を有する。
【００２６】
設定記憶部２０１は、画面のレイアウトに関するユーザ設定を記憶する。より詳細には、図示しない操作ボタンなどによって受け付けたユーザ設定が設定記憶部２０１に記憶される。このユーザ設定には、本実施形態では、「１画面表示」、「４画面表示」、「自動」の３種類がある。なお、ユーザ設定は、当該３種類に限らず、任意の画面表示の種類の設定がされていてもよい。
【００２７】
図３（Ａ）、図３（Ｂ）は、「１画面表示」、「４画面表示」の２種類それぞれのユーザ設定に対応する画面表示の様子を示す模式図である。「１画面表示」は、図３（Ａ）が示すように、１つの入力端子に入力される１つの画像信号に基づいた画像を、画面全体に表示するものである。「４画面表示」は、図３（Ｂ）が示すように、４つ入力端子に入力される４つの画像信号それぞれに基づいた画像を、画面の上下左右に並べて表示するものである。また、「自動」は、画像信号の入力状態に応じて、「１画面表示」、「４画面表示」のいずれかを、表示装置１００が選択して画像を画面に表示するものである。
【００２８】
レイアウト決定部２０２は、画像入力部１０１から取得した画像信号および設定記憶部２０１によって記憶されているユーザ設定に応じて、「１画面表示」と「４画面表示」とのいずれかに画面表示のレイアウトを決定する。なお、当該レイアウト決定処理については、後述にて詳細に説明する。
【００２９】
レイアウト通知部２０３は、レイアウト決定部２０２によって決定されたレイアウトを推定部１０６および設定情報決定部１０７へ通知する。
【００３０】
（レイアウト決定処理）
レイアウト決定部２０２が行う画面表示のレイアウト決定処理を、図４が示すフローチャートを用いて説明する。
【００３１】
Ｓ４００１において、レイアウト決定部２０２はまず、設定記憶部２０１より、画面レイアウトのユーザ設定を取得する。
Ｓ４００２において、レイアウト決定部２０２は、ユーザ設定が「１画面表示」である
か否かを判定する。ユーザ設定が「１画面表示」であれば、処理工程はＳ４００３に遷移して、それ以外であれば、処理工程はＳ４００４に遷移する。
Ｓ４００３において、レイアウト決定部２０２は、レイアウトを「１画面表示」に設定し、当該フローチャートにおける処理を全て終了させる。
【００３２】
Ｓ４００４において、レイアウト決定部２０２は、ユーザ設定が「自動」であるか否かを判定する。ユーザ設定が「自動」であれば、処理工程はＳ４００５に遷移して、それ以外であれば、処理工程はＳ４００７に遷移する。
Ｓ４００５において、レイアウト決定部２０２は、画像信号が入力されている入力端子（画像信号ありの入力端子）の数をカウントする。
【００３３】
Ｓ４００６において、レイアウト決定部２０２は、画像信号が入力されている入力端子の数が１であるか否かを判定する。当該判定は、画像信号に付加されている入力端子の情報によって実現可能である。当該入力端子の数が１であれば、処理工程はＳ４００３に遷移して、それ以外の場合には、処理工程はＳ４００７に遷移する。
Ｓ４００７において、レイアウト決定部２０２は、レイアウトを「４画面表示」に設定し、当該フローチャートにおける処理を全て終了させる。
【００３４】
［推定部の処理］
次に、推定部１０６が行う処理について、図５が示すフローチャートを用いて詳細に説明する。具体的には、画像信号が入力されていない入力端子に、今後、入力されるであろう画像信号の画像フォーマットを推定する処理について説明する。
【００３５】
Ｓ５００１において、推定部１０６は、まず、決定部１０５からレイアウトを取得する。
Ｓ５００２において、推定部１０６は、レイアウトが「１画面表示」であるか否かを判定する。レイアウトが「１画面表示」である場合は、当該フローチャートにおける処理を全て終了し、それ以外の場合には、処理工程は、Ｓ５００３に遷移する。つまり、レイアウトが「１画面表示」の場合には、表示に用いる画像信号の画像フォーマットのみが明らかであればよいため、他の入力端子に対する画像フォーマットの推定は行われない。しかし、Ｓ５００２における判定が行われずに、全ての場合にＳ５００１からＳ５００３に処理工程が遷移してもよい。
【００３６】
Ｓ５００３において、推定部１０６は、入力端子に入力されている画像信号のいずれかに基づいた画像が表示部１０３に表示されているか否かを判定する。表示部１０３に当該画像が表示されている場合には、処理工程はＳ５００４に遷移して、それ以外の場合には、当該フローチャートにおける処理を全て終了する。
【００３７】
Ｓ５００４において、推定部１０６は、表示部１０３に表示されている画像に対応する画像信号の画像フォーマットを、検出部１０４から取得する。
【００３８】
Ｓ５００５において、推定部１０６は、画像信号が入力されていない入力端子（無信号端子）に対応する画像フォーマットを、Ｓ５００４にて取得した画像フォーマットに決定（推定）する。これは、複数の画像を並べて表示する場合には、今後、無信号端子へ入力される画像信号は、現在表示中の画像に対応する画像信号と同一のフォーマットである可能性が高いためである。なお、これに限らず、推定部１０６は、例えば、表示部１０３の表示デバイスの解像度とＳ５００４にて取得した画像フォーマットとに基づいて、無信号端子に対応する画像フォーマットを推定してもよい。具体的には、推定部１０６は、例えば、表示デバイスの画面を４つに分割した部分の解像度とＳ５００４にて取得した画像フォーマットが示す解像度とのうち大きいものを、無信号端子に対応する画像フォーマット
の解像度として推定してもよい。
【００３９】
なお、以降、検出部１０４が検出した画像フォーマットを「検出フォーマット」と呼び、推定部１０６が推定した画像フォーマットを「推定フォーマット」と呼ぶ。
【００４０】
なお、推定部１０６は、例えば、現在表示中の画像に対応する画像信号が複数ある場合には、当該複数の画像信号の検出フォーマットのうち最も個数の多い検出フォーマットから推定フォーマットを推定してもよい。また、無信号端子によって表示される画像と隣接する画像に対応する画像信号の検出フォーマットから推定フォーマットを推定してもよい。つまり、図１０（Ａ）が示す場合に、画像２００１が入力されていなければ、隣接しない画像２００４に対応する画像信号ではなく、隣接する画像２００２，２００３に対応する画像信号の検出フォーマットから推定フォーマットを推定するとよい。
【００４１】
Ｓ５００６において、推定部１０６は、推定した推定フォーマットに当該入力端子の情報を付加して、設定情報決定部１０７に通知し、当該フローチャートにおける処理を全て終了する。
【００４２】
なお、本フローチャートでは、推定部１０６は、Ｓ５００３において表示画像がある否かを判定して、Ｓ５００４において表示画像に対応する検出フォーマットを取得して、当該検出フォーマットから推定フォーマットを推定しているが、これには限られない。例えば、推定部１０６は、表示部１０３への表示に用いられていない画像信号の検出フォーマットから、推定フォーマットを推定してもよい。
【００４３】
［設定情報決定部の内部構成］
次に、設定情報決定部１０７について詳細に説明する。図６は、設定情報決定部１０７の内部構成を示す構成図である。設定情報決定部１０７は、フォーマット取得部６０１、フォーマット記憶部６０２、判定部６０３、レイアウト取得部６０４、設定決定部６０５を有する。
【００４４】
フォーマット取得部６０１は、検出部１０４から検出フォーマットを取得し、推定部１０６から推定フォーマットを取得する。なお、本実施形態では、入力端子が４つ存在するため、フォーマット取得部６０１は、それぞれの入力端子に対応する４つの画像フォーマットを取得する。フォーマット取得部６０１は、取得した画像フォーマットを、フォーマット記憶部６０２、判定部６０３、設定決定部６０５へ通知する。すなわち、フォーマット取得部６０１が通知する画像フォーマットには、検出部１０４が検出した検出フォーマットと、推定部１０６が推定した推定フォーマットの両方が含まれる可能性がある。
【００４５】
なお、フォーマット取得部６０１は、４つの入力端子に対応する画像フォーマットのうち取得できないものがある場合には、当該画像フォーマットとして予め決定しておいた所定の画像フォーマットをフォーマット記憶部６０２などに通知してもよい。なお、所定の画像フォーマットではなく、フォーマット取得部６０１は、例えば、表示部１０３の表示デバイスの処理能力や解像度に応じた画像フォーマットを通知してもよい。
【００４６】
フォーマット記憶部６０２は、フォーマット取得部６０１より受信した画像フォーマットを記憶する。ここで、フォーマット記憶部６０２は、入力端子ごとに、フォーマット取得部６０１より受信する画像フォーマットＦ１と、その１つ前に受信した画像フォーマットＦ２との２種類の画像フォーマットを記憶している。なお、画像フォーマットＦ１，Ｆ２は、検出フォーマットと推定フォーマットとのいずれであってもよく、フォーマット記憶部６０２はこれらを区別しない。
【００４７】
判定部６０３は、フォーマット取得部６０１から取得する画像フォーマットＦ１と、フォーマット記憶部６０２から取得する画像フォーマットＦ２とに基づいて、表示設定の設定変更の要否を、４つの入力端子それぞれについて判定する。判定部６０３は、当該要否を設定決定部６０５に通知する。判定部６０３が行う処理の詳細については、後述にて説明する。
【００４８】
レイアウト取得部６０４は、決定部１０５よりレイアウトを取得し、設定決定部６０５へ通知する。
【００４９】
設定決定部６０５は、ある入力端子に対して表示設定の設定変更が「必要」であると通知された場合、当該入力端子に対応した画像フォーマットＦ１とレイアウトに基づいて、当該入力端子に関する設定情報を決定する。この場合、設定決定部６０５は、当該入力端子に関する当該設定情報を表示設定部１０２へ通知する。なお、設定決定部６０５は、ある入力端子に対して設定変更が「不要」であると通知された場合には、当該入力端子に関しては、設定情報を決定せず、かつ、表示設定部１０２に何も通知しない。なお、上述のように、設定情報とは、画像の表示座標やスケーリング率を示す情報である。
【００５０】
具体的には、設定決定部６０５は、例えば、画像フォーマットにおける画像信号の解像度と、レイアウトが「１画面表示」と「４画面表示」とのいずれを示すのかによって、画像の表示座標とスケーリング率を決定することができる。
【００５１】
例えば、レイアウトが「１画面表示」であり、入力されている１つの画像信号の画像フォーマットにおける画像信号の解像度が「２１４８×１０８０画素」の場合の、表示部１０３の表示デバイスにおける表示例を、図７（Ａ）が示している。ここで、表示部１０３の表示デバイスの画面の解像度は４０９６×２１６０画素の大きさであり、画面の左上の頂点座標が（０，０）であり、右下の頂点座標が（４０９５，２１５９）である。
【００５２】
ここで、設定決定部６０５は、レイアウトが「１画面表示」である場合には、図７（Ａ）に示すように、画像が表示される領域の左上座標を（０，０）と決定し、右下座標を（４０９５，２１５９）と決定することができる。また、設定決定部６０５は、表示デバイスの画面の解像度が４０９６×２１６０画素であるため、画像の水平方向のスケーリング率（拡大率）を４０９６÷２０４８＝２と決定し、垂直方向のスケーリング率を２１６０÷１０８０＝２と決定できる。
【００５３】
一方、レイアウトが「４画面表示」であり、入力されている４つの画像信号の画像フォーマットが示す解像度がそれぞれ「２１４８×１０８０画素」の場合の表示例を、図７（Ｂ）が示している。
【００５４】
ここで、設定決定部６０５は、図７（Ｂ）に示すように、表示デバイスの画面を左右上下に分割することによって、「左上端子」に関して、画像を表示する領域の左上座標を（０，０）と決定し、右下座標を（２０４７，１０７９）と決定する。そのため、当該画像の表示領域の大きさは２０４８×１０８０画素であり、画像の水平方向および垂直方向のスケーリング率はそれぞれ１である。なお、設定決定部６０５は、「左下端子」、「右上端子」「右下端子」に関しても、同様に、表示座標およびスケーリング率を決定することができる。
【００５５】
（判定部の処理）
次に、判定部６０３が行う表示設定の設定変更の要否を判定する処理について、図８が示すフローチャートを用いて詳細に説明する。なお、本実施形態では、４つの入力端子が存在するため、判定部６０３は、この４つの入力端子それぞれに関して下記のフローチャ
ートの処理を行う。つまり、判定部６０３は、本実施形態では、当該フローチャートの処理を４回行うことによって、４つの入力端子のそれぞれに関して設定変更の要否を判定する。以下では、一例として、右下端子に関して、当該要否を判定するものとして説明する。なお、必ずしも、入力端子の４つ全てに関して当該フローチャートの処理が行われている必要はなく、例えば、レイアウトが「１画面表示」の場合には、画面表示に用いられる入力端子に関してのみ当該フローチャートの処理が実行されてもよい。
【００５６】
Ｓ８００１において、判定部６０３は、右下端子に対応する画像フォーマットＦ１をフォーマット取得部６０１から取得する。
Ｓ８００２において、判定部６０３は、Ｓ８００１にて取得する画像フォーマットＦ１の１つ前の画像フォーマットＦ２を、フォーマット記憶部６０２から取得する。
【００５７】
Ｓ８００３において、判定部６０３は、Ｓ８００１およびＳ８００２にて取得した画像フォーマットＦ１，Ｆ２を比較することによって、２つの画像フォーマット間に変化（差異）があるか否かを判定する。画像フォーマットに変化がある場合には、処理工程は、Ｓ８００４に遷移して、それ以外の場合には、Ｓ８００５に遷移する。
【００５８】
Ｓ８００４において、判定部６０３は、右下端子に関して、設定変更が「必要」であると判定して、当該フローチャートにおける全ての処理を終了する。
Ｓ８００５において、判定部６０３は、右下端子に関して、設定変更が「不要」であると判定して、当該フローチャートにおける全ての処理を終了する。
【００５９】
なお、図８のフローチャートでは、画像フォーマットが変化する場合に、表示設定の設定変更の必要があると判定がされたが、それには限られない。具体的には、決定部１０５が決定するレイアウトが変化した場合にも、判定部６０３は、表示設定の設定変更が必要あると判定してもよい。このために、フォーマット取得部６０１は、決定部１０５からレイアウトを取得しておき、フォーマット記憶部６０２が当該レイアウトを記憶しておいてもよい。
【００６０】
このように、画像フォーマットＦ１，Ｆ２とが異なる場合に、表示設定の設定変更が「必要」であると判定される。このため、画像信号の検出の対象でなかった無信号端子に対して、新たに推定フォーマットが推定されると、当該推定フォーマットに応じた表示設定に変更される。従って、表示部１０３は、無信号端子に画像信号が入力されると、すぐに当該推定フォーマットに応じた表示設定で画像の表示を行うことができる。また、事前に推定していた推定フォーマットと、画像信号が入力されてから検出した検出フォーマットが同じであれば、設定変更がされない。
【００６１】
［表示装置の全体動作］
以下にて、実施形態に係る表示装置１００の全体動作について、図９が示すフローチャートを用いて説明する。なお、本フローチャートの開始時における表示装置１００の状態は、画像入力部１０１の４つの入力端子の少なくともいずれかに画像信号が入力されている状態である。また、本フローチャートの処理は、表示装置１００の制御部が、各機能部を制御することによって実現される。
【００６２】
Ｓ９００１において、検出部１０４は、画像入力部１０１から取得した画像信号から画像フォーマットを検出する。
Ｓ９００２において、決定部１０５は、図４が示すようなフローによって、画像信号および予め設定されたユーザ設定に基づいて、レイアウトを「４画面表示」と「１画面表示」のいずれかに決定する。
【００６３】
Ｓ９００３において、決定部１０５は、決定したレイアウトが「４画面表示」であるか否か判定する。レイアウトが「４画面表示」である場合には、処理工程はＳ９００４に遷移して、それ以外の場合には処理工程はＳ９００６に遷移する。
【００６４】
Ｓ９００４において、決定部１０５は、画像信号が入力されていない入力端子（無信号端子）が存在するか否かを判定する。無信号端子が存在する場合には、処理工程はＳ９００５に遷移して、それ以外の場合には、処理工程はＳ９００６に遷移する。
Ｓ９００５において、推定部１０６は、図５が示すようなフローによって、検出部１０４が検出した画像フォーマットに基づいて、今後、無信号端子に入力される画像信号の画像フォーマットを推定する。
【００６５】
以下、Ｓ９００６〜Ｓ９００７の処理については、４つの入力端子それぞれについて行われる。つまり、Ｓ９００６〜Ｓ９００７の処理は４回行われる。なお、レイアウトが「１画面表示」である場合には、画面表示に用いられる入力端子に関してのみ、Ｓ９００６〜Ｓ９００７の処理が行われてもよい。
【００６６】
Ｓ９００６において、図８が示すフローによって、設定情報決定部１０７は、取得した画像フォーマットとその１つ前の画像フォーマットに変化（差異）がないか判定する。変化がある場合には、表示設定の設定変更が必要であるため、処理工程はＳ９００７に遷移して、それ以外の場合には、処理工程はＳ９００１に遷移する。
【００６７】
Ｓ９００７において、まず設定情報決定部１０７は、入力端子に対する設定情報を変更する。そして、表示設定部１０２は、変更された設定情報に基づいて、表示設定処理を実行する（表示設定を変更する）。Ｓ９００７により、無信号端子に関しても、事前に推定フォーマットに応じた表示設定にしておくことができる。なお、Ｓ９００７の処理は、上述のように、数１００ミリ秒〜１秒程度の時間を要する。Ｓ９００７の処理が終了すると、処理工程はＳ９００１に遷移する。つまり、表示装置１００が動作している間は、Ｓ９００１〜Ｓ９００７の処理は繰り返し行われる。
【００６８】
そして、この表示設定処理によって変更もしくは維持された表示設定によって、表示部１０３は、画像信号に基づいた画像を表示する。例えば、表示部１０３は、画像２００２の画像信号が入力された右上端子が存在する場合に、画像信号が入力されていない右下端子に画像２００４の画像信号が入力されると、画像２００２の画像フォーマットに基づいた表示設定で画像２００４を表示する。
【００６９】
（無信号端子に画像信号が入力された場合の処理）
ここで、無信号端子に画像信号が入力された場合の表示装置１００の全体処理について、図９が示すフローチャートに沿って説明する。なお、本例では、当該フローチャートの開始時において、ユーザ設定が「４画面表示」であり、右下端子には画像信号が入力されておらず、その他の端子には画像信号が新たに入力されている状態である。また、フォーマット記憶部６０２は、いずれの入力端子に対応する画像フォーマットも記憶していない状態である。
【００７０】
まず、検出部１０４は、右上端子、左上端子、左下端子にそれぞれ入力されている３つの画像信号から画像フォーマットを検出する（Ｓ９００１）。次に、決定部１０５は、ユーザ設定が「４画面表示」であるため、レイアウトを「４画面表示」に決定する（Ｓ９００２）。そして、レイアウトが「４画面表示」であり（Ｓ９００３ＹＥＳ）、右下端子には画像信号が入力されていない（Ｓ９００４ＹＥＳ）。そのため、推定部１０６は、検出した３つの画像フォーマットから、今後、右下端子に入力される画像信号の画像フォーマットを推定する（Ｓ９００５）。
【００７１】
続いて、設定情報決定部１０７は、４つの画像フォーマットに対して、それぞれ変化がないか判定する（Ｓ９００６）。ここで、本フローチャート開始時においてフォーマット記憶部６０２は画像フォーマットを記憶していないため、右上端子、左上端子、左下端子にそれぞれに対応する画像フォーマットは変化したものと判定される。また、同様に、右下端子に対して推定された画像フォーマットも、画像フォーマットは変化したものと判定される。従って、表示設定部１０２は、右上端子、左上端子、左下端子に関しては、それぞれ検出された画像フォーマットによって表示設定処理をし、右下端子に関しては、推定した画像フォーマットによって表示設定処理をする（Ｓ９００７）。
【００７２】
次に、上述したＳ９００７の処理終了時において、右下端子に新たな画像信号が入力されたものと仮定する。
【００７３】
この場合に、検出部１０４は、さらに、右下端子に入力された画像信号についても画像フォーマットを検出する（Ｓ９００１）。そして、レイアウトが「４画面表示」に決定されるが（Ｓ９００２）、無信号端子が存在しないため（Ｓ９００３，Ｓ９００４ＮＯ）、画像フォーマットの推定は実行されない。
【００７４】
続いて、設定情報決定部１０７は、４つの入力端子の画像フォーマットに対して変化があるか判定する（Ｓ９００６）。ここで、設定情報決定部１０７は、右下端子に関しては、以前にＳ９００５にて推定しておいた画像フォーマットと、新たにＳ９００１にて検出した画像フォーマットとを比較する。表示設定部１０２は、２つの画像フォーマットに差異があれば、表示設定処理を実行するが（Ｓ９００６ＹＥＳ，Ｓ９００７）、差異がなければ、表示設定処理は実行しない（Ｓ９００６ＮＯ）。つまり、推定した画像フォーマットが、実際に検出した画像フォーマットと異ならない限り、表示部１０３に表示される画像における表示設定の設定変更はされない。
【００７５】
このように、右下端子に画像信号が入力される前に、右下端子に関して、推定された画像フォーマットによって、Ｓ９００７において表示設定の処理がされている。このため、右下端子に画像信号が入力されると、表示装置１００は、当該表示設定によって、新たに入力された画像信号に基づいた画像を表示部１０３に即座に表示できる。
【００７６】
つまり、本実施形態では、表示装置１００は、無信号端子があったとしても、その無信号端子に入力されるであろう画像信号の画像フォーマットを推定して、事前に表示設定処理を実行しておく。このことによって、表示装置１００は、その後、当該無信号端子に画像信号が入力されても、画像を即座に当該表示設定で表示部１０３に表示することができる。また、推定時とその後の検出時とで、画像フォーマットに差異があったとしても、表示設定処理は従来行われている処理であるため、画像が表示されるまでの時間が従来よりもかかるということはない。
【００７７】
以上、本実施形態によれば、複数の入力端子を有する表示装置において、入力端子に画像信号が入力されてから、当該画像信号に基づいた画像を適切な表示設定で表示するまでに要する時間を短縮することができる。
【００７８】
なお、本実施形態は「４画面表示」ではなく、「２画面表示」や「８画面表示」など、任意の画面表示に適用することができる。例えば、画像入力部１０１が４つ以上の入力端子を有する場合にも、「２画面表示」によって画面表示がされていてもよい。つまり、複数の入力端子のうち１つの入力端子に画像信号が入力されていさえすれば、画像信号が入力されていない入力端子に今後入力される画像信号の画像フォーマットを推定できるため、本実施形態は適用可能である。また、「１画面表示」の場合において、画像を表示する
ための入力端子には画像信号が入力されておらず、画像の表示に用いられない入力端子には画像信号が入力されている場合にも、入力されている画像信号から画像フォーマットの推定が行われてもよい。
【００７９】
なお、上記の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ＡＳＩＣ、ＦＰＧＡ、ＤＳＰなどのハードウェアによって実現されてもよいし、そうでなくてもよい。例えば、装置が、プロセッサと、制御プログラムが格納されたメモリ（記憶媒体）とを有していてもよい。そして、装置が有する少なくとも一部の機能部の機能が、プロセッサがメモリから制御プログラムを読み出して実行することにより実現されてもよい。
【００８０】
（その他の実施形態）
本発明は、上記の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８１】
１００：表示装置、１０１：画像入力部、１０３：表示部
【図１】
2020106614.tif 000003
【図２】
2020106614.tif 000004
【図３】
2020106614.tif 000005
【図４】
2020106614.tif 000006
【図５】
2020106614.tif 000007
【図６】
2020106614.tif 000008
【図７】
2020106614.tif 000009
【図８】
2020106614.tif 000010
【図９】
2020106614.tif 000011
【図１０】
2020106614.tif 000012